(57)【要約】【課題】  船釣り等において、仕掛けに当たりが来たときに、釣竿の合わせの操作のあと釣竿受具から釣竿を外すときに、煩わしく手間の掛かる操作をすることなく素早く確実に外すことができる釣竿受具を提供する。【解決手段】  釣竿受具(A)は、釣竿(102)に取り付けられる係合具(8)と、取付台具(1)、基台(2)、支柱(3)及び取付調整具(4)を有し係合具(8)を取り付けた釣竿(102)を受ける竿受け(B)とを備えている。係合具(8)は、釣竿(102)の上下の動きにより竿受け(B)の係合部(6,61)に着脱できるとともに、係合部(6,61)に係合している状態では、釣竿(102)の長さ方向の動きと、軸周方向の回転を止めることができる。竿受け(B)は、竿尻を受ける有底形状の竿尻受具(7)を備えており、竿尻受具(7)の上部は釣竿(102)が竿尻を支点として有底体(71)内で上昇回動できるよう構成されている。【選択図】        図１
2006067855.tif 000002
【特許請求の範囲】
【請求項１】
釣竿(102)に取り付けられる係合具(8)と、
取付手段(1,2,3)を有し、係合具(8)を取り付けた釣竿(102)を受ける竿受け(B)と、
を備えており、
係合具(8)は、釣竿(102)の上下の動きにより竿受け(B)の係合部(6,61)に着脱できるとともに、係合部(6,61)に係合している状態では、釣竿(102)の長さ方向の動きと、軸周方向の回転を止めることができるよう構成してあることを特徴とする、
釣竿受具。
【請求項２】
竿受け(B)は、竿尻を受ける有底形状の竿尻受具(7)を備えており、竿尻受具(7)の上部は釣竿(102)が竿尻を支点として有底体(71)内で上昇回動できるよう構成されていることを特徴とする、
請求項１記載の釣竿受具。
【請求項３】
係合具(8)は複数の割り子(81,82)で構成されており、それらの割り子(81,82)は釣竿(102)を挟んだ位置で相互に着脱できるよう構成されていることを特徴とする、
請求項１または２記載の釣竿受具。
【請求項４】
係合具(8)は、釣竿(102)の直径の違いに合わせるための内径調整手段(813,814,823,824,9)を備えていることを特徴とする、
請求項１、２または３記載の釣竿受具。
【請求項５】
竿受け(B)の係合部(6,61)に、係合具(8)を係合位置へ案内する案内部(610)が設けられていることを特徴とする、
請求項１、２、３または４記載の釣竿受具。
【請求項６】
竿受け(B)の高さまたは前後位置を調整するための調整手段を備えていることを特徴とする、
請求項１、２、３、４または５記載の釣竿受具。
【発明の詳細な説明】
【技術分野】
【０００１】
本発明は、釣竿受具に関するものである。更に詳しくは、例えば船釣りにおいて使用され、釣人が釣竿を手で持っていないときにも仕掛けに当たりが来たときや船の揺れや波によって釣竿が抜け外れないようにし、更にリールが垂れ下がらないように保持できる釣竿受具であって、仕掛けに当たりが来たときに、釣竿の合わせの操作ができると共に、釣竿受具から釣竿を外すとき、素早く確実に外すことができるものに関する。
【背景技術】
【０００２】
例えば、船釣りにおいては、船縁に釣竿受具を装着し、この釣竿受具によって釣竿を保持して仕掛けを海中に垂らすようにする。船釣りでは、当たりが来たとき以外にも、例えば釣りのポイントを変えたり、餌籠に餌を補充する場合にもリールを操作して仕掛けを巻き取る必要がある。従って、船釣りにおいては、リールを操作する頻度が高くなり、その操作性の善し悪しは重要である。
【０００３】
船釣りにおけるリールの操作性を高めたものとしては、特許文献１に記載された竿受けがある。この竿受けは、リールのアームを受け、更に竿尻を固定具で挟み付けることによって、リールが垂れ下がらない水平な状態で釣竿を保持し、釣竿を持たないでもリールの操作を可能にして、必要なら片手だけで仕掛けの巻き取りができるようにしたものである。
【０００４】
【特許文献１】特開２００３−１４４０２７
【発明の開示】
【発明が解決しようとする課題】
【０００５】
しかしながら、特許文献１に記載された竿受けには、次のような課題があった。
竿受けは、釣人が釣竿を手で持っていないときに、仕掛けに当たりが来たときや船の揺れや波によって釣竿が抜け外れないように竿尻を固定具で挟み付けて固定するようになっている。そして、竿受けから釣竿を外す場合は、解除レバーを操作して固定具による竿尻の固定を解除する。
【０００６】
このため、仕掛けに当たりが来たときは、釣竿を操作して合わせた後、魚が海面近くへ上がるまでリールを手動または電動で巻き上げ、同時に魚の引きに合わせて釣竿の操作を行って仕掛けが緩まないようにし、最後は魚を船側へ寄せるために竿受けから釣竿を外し、釣人が釣竿を抱き込むように操作する必要がある。
【０００７】
特許文献１記載の竿受けでは、釣竿を竿受けから外すときには、例えば左手で釣竿を持ち、右手で固定具の解除レバーを操作する。しかし、この操作をすることによって、釣竿の操作のタイミングが遅れてしまうことがあった。また、竿尻の固定を解除した一瞬、仕掛けにかかる魚の引きで釣竿の先が海面側へ大きく振れてしまい、仕掛けが緩んでしまう課題もあった。これにより、結果的に魚を逃がしてしまうことがあった。
【０００８】
更には、上記竿受けはスピニングリール専用であり、タイコリールや電動リール等、アーム部分のない他のタイプのリールを取り付けた釣竿を装着することはできなかった。また、竿受けは、スピニングリールのアームを支える構造であるため、スピニングリールの取付位置に制限があるという課題もあった。
【０００９】
（本発明の目的）
本発明の目的は、例えば船釣りにおいて使用され、釣人が釣竿を手で持っていないときにも仕掛けに当たりが来たときや船の揺れや波によって釣竿が抜け外れないようにし、更にリールが垂れ下がらないように保持できる釣竿受具であって、
仕掛けに当たりが来たときに、釣竿の合わせの操作ができると共に、釣竿受具から釣竿を外すとき、従来のように固定具の解除レバーを操作する等、煩わしく手間の掛かる操作をする必要がなく、素早く確実に外すことができる釣竿受具を提供することである。
【００１０】
本発明の他の目的は、釣人が釣竿を手で持っていないときにも仕掛けに当たりが来たときや船の揺れや波によって釣竿が抜け外れないようにし、更にリールが垂れ下がらないように保持できる釣竿受具であって、どのようなタイプのリールを取り付けた釣竿でも装着することができ、リールの取付位置に制限を受けることもない、リールの種類に関して汎用の釣竿受具を提供することである。
【課題を解決するための手段】
【００１１】
上記課題を解決するために本発明が講じた手段は次のとおりである。
第１の発明にあっては、
釣竿に取り付けられる係合具と、
取付手段を有し、係合具を取り付けた釣竿を受ける竿受けと、
を備えており、
係合具は、釣竿の上下の動きにより竿受けの係合部に着脱できるとともに、係合部に係合している状態では、釣竿の長さ方向の動きと、軸周方向の回転を止めることができるよう構成してあることを特徴とする、
釣竿受具である。
【００１２】
第２の発明にあっては、
竿受けは、竿尻を受ける有底形状の竿尻受具を備えており、竿尻受具の上部は釣竿が竿尻を支点として有底体内で上昇回動できるよう構成されていることを特徴とする、
第１の発明に係る釣竿受具である。
【００１３】
第３の発明にあっては、
係合具は複数の割り子で構成されており、それらの割り子は釣竿を挟んだ位置で相互に着脱できるよう構成されていることを特徴とする、
第１または第２の発明に係る釣竿受具である。
【００１４】
第４の発明にあっては、
係合具は、釣竿の直径の違いに合わせるための内径調整手段を備えていることを特徴とする、
第１、第２または第３の発明に係る釣竿受具である。
【００１５】
第５の発明にあっては、
竿受けの係合部に、係合具を係合位置へ案内する案内部が設けられていることを特徴とする、
第１、第２、第３または第４の発明に係る釣竿受具である。
【００１６】
第６の発明にあっては、
竿受けの高さまたは前後位置を調整するための調整手段を備えていることを特徴とする、
第１、第２、第３、第４または第５の発明に係る釣竿受具である。
【００１７】
竿尻受具は、竿尻を入れることができる形状のものに底部を有する構造である。底部は、全部を塞いでいる構造に限定されるものではなく、一部が開口していてもよい。要は竿尻を所要の箇所で止めることができる構造であれば、底部が板状であるものの他、突起状、棒状、網状など各種公知のものが採用できる。
【００１８】
本明細書及び特許請求の範囲にいう割り子とは、係合具を構成し、係合具が装着される釣竿を挟むように組み合わせられる複数の構成体である。割り子は、釣竿を挟むようにして組み合わせて一体化することにより釣竿に装着することができ、それらを分解することにより釣竿から取り外すことができる。
【００１９】
（作用）
本発明に係る釣竿受具の作用を説明する。なお、ここでは、本発明の各構成要件のそれぞれに、後述する実施の形態において各部に付与した符号を対応させて付与し説明するが、この符号の付与は、あくまで説明の理解を助けるためであって各構成要件の上記各部への限定を意味するものではない。
【００２０】
釣竿(102)に係合具(8)を取り付ける。船釣りの場合、船縁(100)に釣竿受具(A)を取り付ける。釣竿(102)を上から下へ降ろし、係合具(8)を竿受け(B)の係合部(6,61)に係合させて装着する。釣竿(102)を外すときは、逆に釣竿(102)を下から上へ上げて係合具(8)と係合部(6,61)の係合を解除する。
【００２１】
係合具(8)を竿受け(B)の係合部(6,61)に係合させて釣竿(102)を装着した状態においては、釣竿(102)の長さ方向の動きと、軸周方向の回転を止めることができる。
つまり、仕掛けに当たりが来たときや潮の流れなどによって釣竿(102)が下方向へ引っ張られたり先方向へ引っ張られたりても、釣竿(102)が外れることはない。また、釣竿(102)がリール(R)の重みで軸周方向へ回転してリールが垂れ下がることがなく、常にリール(R)を見やすく操作しやすい上部に位置させた状態で保持できる。
【００２２】
また、係合具(8)と、竿受け(B)の係合部(6,61)の係合によって、上記のように釣竿を保持できるので、釣竿に取り付けられるリール(R)はどのようなタイプのものでもよく、リール(R)の種類に関して汎用であり、リール(R)の取付位置にも制限を受けることはない。
【００２３】
竿受け(B)が竿尻を受ける有底形状の竿尻受具(7)を備えており、竿尻受具(7)の上部は釣竿(102)が竿尻を支点として有底体(71)内で上昇回動できるよう構成されているものは、当たりが来たときに釣人（使用者）が釣竿(102)を持ち、竿尻を支点として上昇回動させることにより、釣竿(102)を上げて当たりに合わせ、また、その動作によって竿受け(B)から釣竿(102)を外すこともできる。
【００２４】
係合具(8)が複数の割り子(81,82)で構成されており、それらの割り子(81,82)は釣竿(102)を挟んだ位置で相互に着脱できるよう構成されているものは、割り子(81,82)を釣竿(102)を挟むようにして組み合わせて一体化することにより釣竿(102)に装着することができ、それらを分解することにより釣竿(102)から取り外すことができる。
【００２５】
係合具(8)が釣竿(102)の直径の違いに合わせるための内径調整手段(813,814,823,824,9)を備えているものは、係合具(8)の内径が装着する釣竿(102)の取り付け部分の直径より大きいときは、内径調整手段(813,814,823,824,9)によってガタなどを生じることなく確実に取り付けることができる。
【００２６】
竿受け(B)の係合部(6,61)に係合具(8)を係合位置へ案内する案内部(610)が設けられているものは、釣竿(102)を装着するとき、その動作に伴って係合具(8)を竿受け(B)の係合位置へ案内することができる。
【００２７】
竿受け(B)の高さまたは前後位置（少なくとも一つが成り立つ意）を調整するための調整手段を備えているものは、釣人の身長（体格）に合わせた高さに調整することができ、釣人の姿勢を楽にさせることができる。また、例えば竿受け(B)を後方位置（船縁(100)より内側）に位置させ、更に必要に応じて低く調整することにより、釣人が椅子に座った楽な状態で当たりを待つことができるようになる。
【発明の効果】
【００２８】
（ａ）本発明に係る釣竿受具は、釣竿に取り付けられる係合具と係合受具との係合によって、釣人が釣竿を手で持っていないときにも仕掛けに当たりが来たときや船の揺れや波によって釣竿が抜け外れることはなく、例えば竿尻を支点として釣竿を上昇回動させるだけで、釣竿の合わせの操作が簡単にできる。
また、釣竿受具から釣竿を外すとき、従来のように固定具の解除レバーを操作する等、煩わしく手間の掛かる操作をする必要がなく、上記合わせの操作と同様に釣竿を上昇回動させるだけで、素早く簡単に外すことができる。
これにより、釣竿の操作のタイミングが遅れてしまうことや、仕掛けにかかる魚の引きで釣竿の先が海面側へ大きく振れて仕掛けが緩んでしまうようなことを防止でき、魚の捕獲率を向上させることができる。
【００２９】
（ｂ）係合具と竿受けの係合部の係合によって、上記のように釣竿を保持できるので、釣竿に取り付けられるリールはどのようなタイプのものでもよく、リールの種類に関して汎用であり、リールの取付位置にも制限を受けることはない。
【００３０】
（ｃ）係合具が複数の割り子で構成されており、それらの割り子は釣竿を挟んだ位置で相互に着脱できるよう構成されているものは、割り子を釣竿を挟むようにして組み合わせて一体化することにより釣竿に装着することができ、それらを分解することにより釣竿から取り外すことができる。これにより、釣竿への係合具の取り付けが簡単にできる。
【００３１】
（ｄ）係合具が釣竿の直径の違いに合わせるための内径調整手段を備えているものは、係合具の内径が装着する釣竿の取り付け部分の直径より大きいときは、内径調整手段によってガタなどを生じることなく確実に取り付けることができる。これにより、係合具を直径の違う複数種類の釣竿に支障なく取り付けることができ、係合具に汎用性を持たせることができる。
【００３２】
（ｅ）竿受けの係合部に係合具を係合位置へ案内する案内部が設けられているものは、釣竿を装着するとき、その動作に伴って係合具を竿受けの係合位置へ案内することができ、装着を簡単かつ確実に行うことができる。
【００３３】
（ｆ）竿受けの高さまたは前後位置を調整するための調整手段を備えているものは、釣人の身長（体格）に合わせた高さに調整することができ、釣人の姿勢を楽にさせることができる。また、例えば竿受けを後方位置（船縁より内側）に位置させ、更に必要に応じて低く調整することにより、釣人が椅子に座った楽な状態で当たりを待つことができるようになる。これにより、釣人の肉体的負担を軽減でき、使い勝手を向上させることができる。
【発明を実施するための最良の形態】
【００３４】
本発明を図に示した実施例に基づき詳細に説明する。
【実施例１】
【００３５】
図１は本発明に係る釣竿受具の実施の形態を示す斜視図、
図２は釣竿受具の側面図、
図３は釣竿受具の正面図である。
なお、図１、図２、図３においては、便宜上、釣竿の竿尻側の一部を表している。
図４は取付調整具の台体の構造を示し、（ａ）は正面図、（ｂ）は平面図、（ｃ）は側面図、
図５は取付調整具の可動体の構造を示し、（ａ）は正面図、（ｂ）は側面図である。
【００３６】
図６は係合具の構造を示し、（ａ）は正面図、（ｂ）は平面図、（ｃ）は側面図、
図７は係合具の取付構造を示す分解斜視図、
図８は係合受具の構造を示し、（ａ）は正面図、（ｂ）は平面図、（ｃ）は側面図、
図９は竿尻受具の構造を示し、（ａ）は正面図、（ｂ）は平面図、（ｃ）は側面図、
図１０は係合受具と係合具の係合状態を示し、（ａ）は正面視説明図、（ｂ）は側面視説明図である。
【００３７】
釣竿受具Ａは、例えば船釣りにおいて使用される。船釣りでは、船縁に取り付けた釣竿受具Ａに釣竿を装着するようにする。
釣竿受具Ａは、取付台具１、竿受けＢ及び係合具８により構成されている。更に、竿受けＢは、基台２、支柱３、取付調整具４、支持ロッド５、係合受具６及び竿尻受具７により構成されている。
【００３８】
各部材の材質は、係合具８がアルミニウム製であり、他の部材は合成樹脂製のツマミ部分を除いてステンレススチール製である。なお、各部材の材質は、上記に限定されるものではなく、強度や防錆性等に問題がなければ他の金属材料を採用することもできる。
【００３９】
まず、釣竿受具Ａを構成する各部材の構造を説明する。
（取付台具１）
図１ないし図３を参照する。
取付台具１は、側面視ほぼ「コ」字状に形成された台本体１０を有している。台本体１０の上面板１１には、後述する竿受けＢの基台２を固定するためのネジ孔１２が四箇所に設けてある。また、上面板１１と直角を成す側面板１３の上部には、同じく基台２を固定するためのネジ孔１４が四箇所に設けてある。
【００４０】
そして、上面板１１と相対向する側には、二箇所に取付片１５が設けてある。各取付片１５には、上下方向にネジ孔１６が設けてあり、ネジ孔１６には先端部に押圧板１８を有する締付ネジ１７が螺合して取り付けてある。なお、上面板１１と取付片１５の間隔は段階的に設定できるようになっている。取付台具１は、締付ネジ１７を回し、押圧板１８と上面板１１で船縁等を挟み付けることにより固定できる。
【００４１】
（竿受けＢ：基台２、支柱３）
図１ないし図３を参照する。
基台２は、平面視でほぼ長方形状に形成されている。基台２の中心部には、六角形の装着孔２０が設けてある。また、四隅部には上記台本体１０の各ネジ孔１２、１４に対応する通孔２２が貫通して設けてある。なお、符号２１は引っ張りリングであり、後述する支柱３の抜けを防止するロックピン２３の操作を行うものである。
【００４２】
装着孔２０には、支柱３が挿入され垂直に固定されている。支柱３は、上端部の一部が丸棒部３０（断面形状が円形）であり、下側の他の部分は角棒部３１（断面形状が六角形）である。丸棒部３０の長さは、後述する台体４０の基部取付部４２の高さよりやや長く形成されており、台体４０はこの部分に移動することで回動できる。支柱３の基部側には上記ロックピン２３の先端が係合する径小部（図では見えない）が設けてある。
また、支柱３の上端部には、抜止ネジ３２が螺着してある。抜止ネジ３２は、後述する取付調整具４の抜けを防止するためのもので、丸棒部３０より径大のヘッド部を有している。
【００４３】
（竿受けＢ：取付調整具４）
図１ないし図３及び図４、図５を参照する。
取付調整具４は、支柱３に取り付けられる台体４０と、台体４０に締付ネジ４９により角度調整ができるように取り付けられる可動体４１により構成されている。
【００４４】
台体４０は、基部取付部４２と先部取付部４３を「Ｌ」字状のアーム４４でつないだ構造である。基部取付部４２の中心部には、上下方向に貫通して装着孔４２０が設けてある。基部取付部４２の側部にはネジ孔４２３が壁部を貫通して設けられ、ネジ孔４２３には締付ネジ４２２が螺合して取り付けてある。
【００４５】
装着孔４２０の内面には、周方向に多数の係合条４２１が設けてある。装着孔４２０は、支柱３の丸棒部３０にはガタつくことなく軸周方向へ回転可能に嵌め込むことができ、かつ角棒部３１の各角部に係合条４２１を係合させて、軸周方向へ回転できないようにして嵌め込むことができる。
【００４６】
先部取付部４３の中心部には、水平方向に貫通して通孔４３０が設けてある。先部取付部４３の円形の取付面４３１には、周方向に多数の係合条４３２が通孔４３０を中心として放射状に設けてある。
【００４７】
可動体４１は、基部取付部４５と先部取付部４６を、ほぼ中間部で鈍角に折曲されたアーム４７でつないだ構造である。基部取付部４５の中心部には、水平方向に貫通してネジ孔４５０が設けてある。基部取付部４５の円形の取付面４５１には、周方向に多数の係合条４５２がネジ孔４５０を中心として放射状に設けてある。
【００４８】
先部取付部４６は、外径が円形で内径が六角形の筒状に形成されている。先部取付部４６は、内径が六角形の挿通孔４６０の軸線方向が上記ネジ孔４５０と直角になるように取り付けてある。先部取付部４６の側部にはネジ孔４６３が壁部を貫通して設けられ、ネジ孔４６３には締付ネジ４６２が螺合して取り付けてある。先部取付部４６には、挿通孔４６０に後述する支持ロッド５が挿通されて固定される。
【００４９】
上記台体４０と可動体４１は、台体４０の先部取付部４３と可動体４１の基部取付部４５の係合条４３２、４５２を密着係合させ、締付ネジ４９のネジ部を先部取付部４３の通孔４３０を通り基部取付部４５のネジ孔４５０に螺合して締め付け固定されている。
可動体４１の取付角度は、係合条４３２、４５２の係合位置を変えることにより任意に設定できる。
【００５０】
（竿受けＢ：支持ロッド５）
図１ないし図３を参照する。
支持ロッド５は、所要長さの六角棒の一端側を曲げて形成され、直線状の基部５０と、基部５０とは角度の異なる直線状の先部５１を有している。支持ロッド５の先端部と後端部には、抜止ネジ５２がそれぞれ螺着してある。抜止ネジ５２は、後述する係合受具６と竿尻受具７の抜けを防止するためのもので、支持ロッド５より径大のヘッド部を有している。
【００５１】
支持ロッド５は、基部５０を可動体４１の先部取付部４６に設けてある挿通孔４６０に挿通され、所要の位置で締付ネジ４６２により固定されている。支持ロッド５の取付位置は、前後に調整ができる。
なお、上記締付ネジ４２２、４９、４６２には、緩み防止のためのスプリングやスプリングワッシャ等（いずれも図示省略）を設けることもできる。
【００５２】
（竿受けＢ：係合受具６）
図１ないし図３及び図８を参照する。
支持ロッド５の先部５１には係合受具６が固定されている。
係合受具６は、ブロック体６０と、その上部両側に設けられている竿受け部材６１、６１により構成されている。ブロック体６０には、厚み方向に挿通孔６３が設けてある。挿通孔６３は、孔形状が中心角が直角であるＶ字形のアングル孔６３０と、その中心部に設けてある六角孔６３１で構成されている。
【００５３】
ブロック体６０の両側面６００、６０１には、アングル孔６３０へ貫通してネジ孔６０２が二箇所ずつ設けてある。各ネジ孔６０２には、止めネジ６０３がねじ込まれている。
また、ブロック体６０の底面には、六角孔６３１へ貫通してネジ孔６０４が片側二箇所ずつ設けてある。各ネジ孔６０４には止めネジ６０５がねじ込まれている。なお、アングル孔６３０は、例えば山形鋼で形成された杭状の釣竿受具等に取り付けるような場合に使用される。
【００５４】
ブロック体６０の上面６０６は、凹面状の曲面に形成され、竿受け部材６１、６１は、その両側に互いに平行に立設されている。
竿受け部材６１、６１は板状で、前部側の上部には円弧状の案内部６１０が設けられている。案内部６１０は、後述する係合具８の側部に係合して係合具８を係合位置へ案内することができる。また、竿受け部材６１、６１の内面側上部には、係合突起６２がそれぞれ設けてある。係合突起６２は、後述する係合具８の係合溝８８と係合する。
【００５５】
係合受具６は、支持ロッド５の先部５１に六角孔６３１を嵌め込み、各ネジ孔６０４の止めネジ６０５を締め付け、更に抜止ネジ５２を締め込んで支持ロッド５に固定されている。係合受具６の取付位置は、先部５１に沿って調整ができる。
【００５６】
（竿受けＢ：竿尻受具７）
図１ないし図３及び図９を参照する。
支持ロッド５の基部５０の後部側には竿尻受具７が固定されている。
竿尻受具７は、ブロック体７０と、その上部に固着されている受体７１で構成されている。ブロック体７０は、上記係合受具６のブロック体６０とほぼ同様の構造を有し、厚み方向に挿通孔７３が設けてある。挿通孔７３は、孔形状が中心角が直角であるＶ字形のアングル孔７３０と、その中心部に設けてある六角孔７３１で構成されている。
【００５７】
ブロック体７０の両側面７００、７０１には、アングル孔７３０へ貫通してネジ孔７０２が二箇所ずつ設けてある。各ネジ孔７０２には、止めネジ７０３がねじ込まれている。
また、ブロック体７０の底面には、六角孔７３１へ貫通してネジ孔７０４が片側二箇所ずつ設けてある。各ネジ孔７０４には止めネジ７０５がねじ込まれている。
【００５８】
ブロック体７０の上部に固着されている受体７１は、ほぼ有底円筒状に形成されている。受体７１の下部側には前方へやや長い取付部７１０が形成され、この部分がブロック体７０上部に取り付けてある。また、底板７２の中心部には円形の孔７２０が形成されている。なお、ブロック体７０に釣竿１０２の竿尻を垂直に差して立てることができる有底筒体（図示省略）を設けることもできる。
【００５９】
この構造により、受体７１の開口側の上部には斜め開口部７１１が形成してある。斜め開口部７１１が設けてあることにより、受体７１に竿尻を挿入した釣竿は、竿尻を支点として受体７１内で上昇回動できる。
【００６０】
竿尻受具７は、支持ロッド５の基部５０に六角孔７３１を嵌め込み、各ネジ孔７０４の止めネジ７０５を締め付け、更に抜止ネジ５２を締め込んで支持ロッド５に固定されている。竿尻受具７の取付位置は、基部５０に沿って調整ができる。
【００６１】
（係合具８）
図１ないし図３及び図６を参照する。
係合具８は、装着孔８０を釣竿に嵌め込むように取り付けて使用される。係合具８は、ほぼ円筒形状のものを軸線方向に半割りした割り子構造であり、上部材８１と下部材８２及びそれらを固着する固定ネジ８３により構成されている。
【００６２】
係合具８の両側部の後部側には、上記係合受具６の竿受け部材６１、６１の内面間に嵌め込まれる係合面８９が平行に設けてある。各係合面８９と前部側の外周面との境界部分には、段部８９０が設けてある。この段部８９０は、上記竿受け部材６１、６１の円弧状の案内部６１０に係合して案内される部分となる。
【００６３】
上部材８１の前部側の両側には、縦方向に孔口８１０が設けられ、孔口８１０の底部から合わせ面８１１まで貫通して通孔８１２がそれぞれ設けてある。
また、各孔口８１０の後部側には、半径方向にネジ孔８１３がそれぞれ二箇所に装着孔８０へ貫通して設けてある。各ネジ孔８１３には、止めネジ８１４がねじ込んである。各ネジ孔８１３と各止めネジ８１４は、後述する各ネジ孔８２３と各止めネジ８２４と共に内径調整手段を構成する。
【００６４】
下部材８２の全部側の両側には、合わせ面８２０から下方へ向けてネジ孔８２１が設けてある。各ネジ孔８２１は、上記通孔８１２と連通する位置に設けられている。また、下部材８２の後部側外面にも半径方向にネジ孔８２３がそれぞれ二箇所に装着孔８０へ貫通して設けてある。各ネジ孔８２３には、止めネジ８２４がねじ込んである。
【００６５】
係合具８は、上記上部材８１と下部材８２を合わせ面８１１、８２０で接面させ、通孔８１２からネジ孔８２１に固定ネジ８３をねじ込んで固着して形成されている。
係合具８の両側に設けてある上記係合面８９には、下部材８２側から上部材８１側へそれぞれ係合溝８８が設けてある。各係合溝８８は、下部材８２側の下方の入り口側が拡がった誘導部８８０と、上部材８１側の上記誘導部８８０に続く停止部８８１により構成されている。
【００６６】
なお、係合具８は、割り子である上部材８１と下部材８２の装着孔８０で釣竿を挟むようにし、固定ネジ８３でそれらを一体化して釣竿の所要位置に取り付けられる。
係合具８の装着孔８０の内径は、上記のように止めネジ８１４、８２４を備えていれば一種類の設定でもよいが、釣竿の直径の違いに合わせて、複数種類を設定してもよい。
【００６７】
（作用）
図１１は釣竿受具の使用方法の例を示す説明図である。
図１１は、釣竿受具Ａを下部が開放され中空の船縁１００に取り付けた例を示している。なお、図１１では身長の高い釣人に対応するために、図１ないし図３に示したものよりやや長い支柱３を使用している。このように、支柱３として長さの異なるものを複数用意しておけば、釣り人の身長の違いや船縁１００の高さの違いに対応でき、釣り人は無理な姿勢を取らずに釣竿の操作ができるようになる。
【００６８】
釣竿受具Ａは、図に示すように取付台具１の台本体１０の上面板１１と側面板１３を船針１００の上面と側面に当て、木製のスペーサ１０１を押圧板１８と船縁１００の上面板とで挟むようにして締付ネジ１７を締め付けて固定されている。なお、スペーサ１０１は必ずしも必要ではない。
また、取付調整具４の可動体４１の角度は、支持ロッド５の角度、すなわち装着される釣竿１０２の角度が操作しやすい適宜角度になるよう設定される。
【００６９】
一方、釣竿１０２には係合具８を取り付ける。係合具８は、装着孔８０の内径が釣竿１０２の直径に合わせたものを使用している。係合具８は、上部材８１と下部材８２を固定ネジ８３で締め付け固定することにより、装着孔８０の内面が釣竿１０２に密着し、固定される。
【００７０】
そして、係合具８を取り付けた釣竿１０２の竿尻を竿尻受具７の受体７１の底面に当てて支点とし、釣竿１０２の先側を上から下へ回動させるように降ろし、係合具８を各竿受け部材６１間に嵌め込むように装着する。このとき、係合具８の係合面８９前部側の段部８９０が竿受け部材６１の案内部６１０に案内され、更に係合溝８８が係合突起６２に嵌め込まれ、円滑な装着ができる。また、係合突起６２に係合溝８８が嵌るようにして係合し、停止部８８１が係合突起６２に当たって係合具８は止まる（図１０参照）。
このように、係合具８を係合受具６に係合させたり係合解除させるよう釣竿１０２を上下方向に動かすことにより、釣竿１０２の釣竿受具Ａへの装着及び取り外しができる。
【００７１】
上記のように係合具８が係合受具６に係合した状態では、特に係合突起６２と係合溝８８の係合により、釣竿１０２の長さ方向の動きは止められ、更に釣竿１０２の係合受具６の係合部を中心とした上下方向の回動も止められる。また、係合具８の係合面８９と竿受け部材６１との係合により釣竿１０２の軸周方向の回転も止められる。軸周方向の回転が止められることにより、釣竿１０２にリールＲの重さが軸周方向に作用しても、リールＲが垂れ下がることはなく、リールＲの表示部が見やすく（リールＲが電動である場合）、スイッチやレバーが操作しやすい上位置に位置させておくことができる。
【００７２】
また、仕掛けに当たりが来たとき等、釣竿１０２を当たりに合わせるときは、竿尻を支点として逆に釣竿１０２を下から上（矢印ａ方向）へ回動させれば、斜め開口部７１１の作用で受体７１と竿尻が干渉することがなく、操作は簡単にできる。
更に、最後に釣竿１０２を外すときは、上記と同様に竿尻を支点として釣竿１０２を下から上へ回動させるようにすれば、係合具８と各竿受け部材６１の係合を解除することができ、釣竿１０２を素早く簡単に取り外すことができる。
【００７３】
係合具８を係合受具６の竿受け部材６１間に係合させて釣竿１０２を装着した状態においては、上記したように釣竿１０２の長さ方向の動きと、係合受具６を中心とした上下方向の回動と、軸周方向の回転を止めることができる。
【００７４】
これによって、仕掛けに当たりが来たときや潮の流れなどによって釣竿１０２が下方向へ引っ張られたり先方向へ引っ張られたりても、釣竿１０２が釣竿受具Ａから外れることはない。また、リールＲは、操作に取り掛かりやすい上位置で維持できるので、リールＲの巻き取り操作も素早く確実に行うことができる。
【００７５】
このように、釣竿受具Ａによれば、仕掛けに当たりが来たときの釣竿１０２の合わせの操作や最後の釣竿１０２の取り外しが素早く簡単にできるので、従来の竿受けのように、釣竿１０２の固定を解除するために、釣竿１０２の操作のタイミングが遅れてしまうことや、固定解除時において仕掛けにかかる魚の引きで釣竿１０２の先が海面側へ大きく振れて仕掛けが緩んでしまうようなことを防止できる。
【００７６】
また、例えば係合具８を当初取り付けていた釣竿１０２と違う釣竿に付け替える必要が生じたときなどは、釣竿の直径より装着孔８０の内径が大きいことも考えられる。その場合は、各止めネジ８１４、８２４（合計８個）を均等に締め付けて先端部を装着孔８０内面から突出させ、ガタつきを防止して固定する。このときは、釣竿に傷を付けないように、釣竿にビニルテープや紙等を巻くようにするのが好ましい。
【００７７】
更には、図７に示すように、釣竿１０２と係合具８の間に内径調整具９を介在させることもできる。内径調整具９は、ほぼ円筒形状のものを軸線方向に半割りした割り子構造であり、上部材９１と下部材９２により構成されている。上部材９１と下部材９２の前後端部には、抜け止め用の径大なフランジ９３がそれぞれ設けてある。
なお、内径調整具９の材質は合成樹脂であるが、特に限定するものではなく、金属その他を採用することもできる。
【００７８】
このように係合具８と内径調整具９を組み合わせた構造では、上部材９１と下部材９２の筒状部の肉厚を複数設定することにより、係合具８を複数の外径の異なる釣竿１０２に固定することができ、係合具８に汎用性を持たせることができる。
【００７９】
図１２は釣竿受具の使用方法の他の例を示す説明図である。
図１２に示す例では、取付台具１の取り付け方法は、図１１に示すものと同様である。また、支柱３は図１ないし図３に示したやや短いものを使用している。更に、本例では基台２を台本体１０の側面板１１側に固定している。
このようにすれば、図に示すように、支持ロッド５を船縁１００より後方に位置させることができ、装着される釣竿１０２の位置も後方へ下がる。これにより、釣人は船縁１００から内方へ離れた位置で釣竿１０２を操作することができるようになり、例えば船縁１００を超えて転落してしまう危険を軽減でき、安全性が向上する。
【００８０】
図１３は釣竿受具の使用方法の他の例を示す説明図である。
本例では、取付台具１の取り付け方法は、図１１に示すものと同様である。基台２と台本体１０の間に、支柱１０５でつながれた延長体１０３と取付具１０４が介在させてある。延長体１０３は、ステンレススチール製で「へ」字状に形成されており、一端側には基台２を固定するためのネジ孔（図示省略）が設けてある。延長体１０３の他端側には支柱１０５を介して取付具１０４が取り付けてある。取付具１０４は上記基台２とほぼ同じ形状に形成され、台本体１０の上面板１１にネジ着されている。
【００８１】
これによれば、延長体１０３を適宜長さに設定することによって、支持ロッド５と釣竿１０２の前後位置及び高さを適宜調整できる。
図に示すように、支持ロッド５を後方位置（船縁より内側）に位置させ、更に低く調整することにより、例えば釣人が椅子に座った楽な状態で当たりを待つことができるようになり、更にリールＲや釣竿１０２の操作もできるようになるので、釣人の肉体的負担を軽減できる。
【００８２】
図１４は釣竿受具の使用方法の他の例を示す説明図である。
本例では、取付台具１と基台２の取り付け方法は、図１１に示すものと同様である。
支持ロッド５ａは、図１ないし図３に示したものより先部５１がやや長いものを使用している。この構造によれば、係合受具６に対する取付位置を矢印ｂ方向に適宜調整することにより、支持ロッド５ａ及び釣竿１０２の前後位置を調整できる。
【００８３】
図１５は釣竿受具の使用方法の他の例を示す説明図である。
本例では、上記図１２に示すものと同様に、基台２を台本体１０の側面板１１側に固定している。そして、取付台具１の台本体１０の側面板１３を船縁１００ａの上面に被せるようにし、更に締付ネジ１７を船縁１００ａの海側に位置させて取り付けてある。
このようにして、上記船縁１００とは異なり内部に空洞のない中実の船縁１００ａにも固定できる。
【００８４】
なお、本明細書で使用している用語と表現は、あくまで説明上のものであって限定的なものではなく、上記用語、表現と等価の用語、表現を除外するものではない。また、本発明は図示されている実施の形態に限定されるものではなく、技術思想の範囲内において種々の変形が可能である。
【図面の簡単な説明】
【００８５】
【図１】本発明に係る釣竿受具の実施の形態を示す斜視図。
【図２】釣竿受具の側面図。
【図３】釣竿受具の正面図。
【図４】取付調整具の台体の構造を示し、（ａ）は正面図、（ｂ）は平面図、（ｃ）は側面図。
【図５】取付調整具の可動体の構造を示し、（ａ）は正面図、（ｂ）は側面図。
【図６】係合具の構造を示し、（ａ）は正面図、（ｂ）は平面図、（ｃ）は側面図。
【図７】係合具の取付構造を示す分解斜視図。
【図８】係合受具の構造を示し、（ａ）は正面図、（ｂ）は平面図、（ｃ）は側面図。
【図９】竿尻受具の構造を示し、（ａ）は正面図、（ｂ）は平面図、（ｃ）は側面図。
【図１０】係合受具と係合具の係合状態を示し、（ａ）は正面視説明図、（ｂ）は側面視説明図。
【図１１】釣竿受具の使用方法の例を示す説明図。
【図１２】釣竿受具の使用方法の他の例を示す説明図。
【図１３】釣竿受具の使用方法の他の例を示す説明図。
【図１４】釣竿受具の使用方法の他の例を示す説明図。
【図１５】釣竿受具の使用方法の他の例を示す説明図。
【符号の説明】
【００８６】
Ａ  釣竿受具
１  取付台具
１０  台本体
１１  上面板
１２  ネジ孔
１３  側面板
１４  ネジ孔
１５  取付片
１６  ネジ孔
１７  締付ネジ
１８  押圧板
Ｂ  竿受け
２  基台
２０  装着孔
２１  引っ張りリング
２２  通孔
２３  ロックピン
３  支柱
３０  丸棒部
３１  角棒部
３２  抜止ネジ
４  取付調整具
４０  台体
４１  可動体
４２  基部取付部
４２０  装着孔
４２１  係合条
４２３  ネジ孔
４２２  締付ネジ
４３  先部取付部
４３０  通孔
４３１  取付面
４３２  係合条
４４  アーム
４５  基部取付部
４５０  ネジ孔
４５１  取付面
４５２  係合条
４６  先部取付部
４６０  挿通孔
４６２  締付ネジ
４６３  ネジ孔
４７  アーム
４９  締付ネジ
５  支持ロッド
５０  基部
５１  先部
５２  抜止ネジ
６  係合受具
６０  ブロック体
６００、６０１  側面
６０２  ネジ孔
６０３  止めネジ
６０４  ネジ孔
６０５  止めネジ
６０６  上面
６１  竿受け部材
６１０  案内部
６２  係合突起
６３  挿通孔
６３０  アングル孔
６３１  六角孔
７  竿尻受具
７０  ブロック体
７００、７０１  側面
７０２  ネジ孔
７０３  止めネジ
７０４  ネジ孔
７０５  止めネジ
７１  受体
７１０  取付部
７１１  斜め開口部
７２  底板
７２０  孔
７３  挿通孔
７３０  アングル孔
７３１  六角孔
８  係合具
８０  装着孔
８１  上部材
８１０  孔口
８１１  合わせ面
８１２  通孔
８１３  ネジ孔
８１４  止めネジ
８２  下部材
８２０  合わせ面
８２１  ネジ孔
８２３  ネジ孔
８２４  止めネジ
８３  固定ネジ
８８  係合溝
８８０  誘導部
８８１  停止部
８９  係合面
８９０  段部
９  内径調整具
９１  上部材
９２  下部材
９３  フランジ
１００、１００ａ  船縁
１０１  スペーサ
１０２  釣竿
Ｒ  リール
１０３  延長体
１０４  取付具
【図１】
2006067855.tif 000003
【図２】
2006067855.tif 000004
【図３】
2006067855.tif 000005
【図４】
2006067855.tif 000006
【図５】
2006067855.tif 000007
【図６】
2006067855.tif 000008
【図７】
2006067855.tif 000009
【図８】
2006067855.tif 000010
【図９】
2006067855.tif 000011
【図１０】
2006067855.tif 000012
【図１１】
2006067855.tif 000013
【図１２】
2006067855.tif 000014
【図１３】
2006067855.tif 000015
【図１４】
2006067855.tif 000016
【図１５】
2006067855.tif 000017